(57)【要約】【課題】ＤＲＡＭを備えるテレビジョン受像機において、ＡＧＣ信号に重畳するノイズを除去して映像の乱れを防止することが可能なテレビジョン受像機を提供する。【解決手段】ＤＲＡＭをメインメモリーとして備えるテレビジョン受像機において、所望のチャンネルに対応する信号を抽出するチューナー部と、チューナー部が抽出した信号を増幅する増幅部と、増幅部における増幅率を制御するためのＡＧＣ信号を生成する利得制御部と、ＡＧＣ信号のノイズを除去するバッファー部と、増幅率が制御された信号を用いて映像を表示する表示処理部と、を有する。【選択図】図１
2010268117.tif 000002
【特許請求の範囲】
【請求項１】
ＤＲＡＭをメインメモリーとして備えるテレビジョン受像機において、
所望のチャンネルに対応する信号を抽出するチューナー部と、
前記チューナー部が抽出した信号を増幅する増幅部と、
前記増幅部における増幅率を制御するためのＡＧＣ信号を生成する利得制御部と、
前記ＡＧＣ信号のノイズを除去するバッファー部と、
前記増幅率が制御された信号を用いて映像を表示する表示処理部と、を有することを特徴とするテレビジョン受像機。
【請求項２】
前記バッファー部は、バッファーＩＣにより構成されることを特徴とする請求項１に記載のテレビジョン受像機。
【請求項３】
前記利得制御部は、増幅された信号の増幅率を検出し、前記検出結果に基づいて、ＰＷＭ信号を出力するＡＧＣ回路と、前記ＡＧＣ回路が生成したＰＷＭ信号を直流化するローパスフィルターにより構成され、
前記バッファー部は、前記ＡＧＣ回路と前記ローパスフィルターの間に介在することを特徴とする請求項１〜請求項２のいずれかに記載のテレビジョン受像機。
【請求項４】
ＤＲＡＭをメインメモリーとして備えるテレビジョン受像機において、
所望のチャンネルに対応する信号を抽出するチューナー部と、
前記チューナー部が抽出した信号を増幅する増幅部と、
増幅された信号の増幅率を検出し、前記検出結果に基づいて、ＰＷＭ信号を出力するＡＧＣ回路と、
バッファーＩＣにより構成され、前記ＰＷＭ信号のノイズを除去するバッファー部と、
前記バッファーＩＣから出力されるＰＷＭ信号を直流化するローパスフィルターと、
前記増幅率が制御された信号を用いて映像を表示する表示処理部と、を有することを特徴とするテレビジョン受像機。
【発明の詳細な説明】
【技術分野】
【０００１】
本発明は、テレビジョン受像機に関し、特に、チューナー部が抽出した信号に対してＡＧＣ制御を行うテレビジョン受像機に関する。
【背景技術】
【０００２】
従来、チューナー部が抽出した信号に対して、ＡＧＣ（Automatic Gain Control）制御を行うる装置が知られている（例えば、特許文献１−３参照）。このＡＧＣ制御は、チューナー部が抽出した信号を増幅器により増幅する際、この増幅器の増幅率を自動で調整する制御である。
【先行技術文献】
【特許文献】
【０００３】
【特許文献１】特開２００６−５４４７号公報
【特許文献２】特開平６−９０４１８号公報
【特許文献３】特開２００４−３２８２２８号公報
【発明の概要】
【発明が解決しようとする課題】
【０００４】
近年のテレビジョン受像機は、ＤＲＡＭをメインメモリーとして使用することが多い。ＤＲＡＭは、データーをコンデンサーの容量により記憶するが、このコンデンサーの容量を維持するため一定周期でセルフリフレッシュを実行する必要がある。
【０００５】
セルフリフレッシュは、コンデンサーの電荷を充放電するため、リフレッシュ期間にＤＲＡＭからノイズが輻射される場合がある。また、このノイズがＡＧＣ制御を行うためのＡＧＣ信号に重畳するとＡＧＣ信号の波形が変化するため、映像が乱れる場合があった。
【０００６】
本発明は、上記課題にかんがみてなされたもので、ＤＲＡＭを備えるテレビジョン受像機において、ＡＧＣ信号に重畳するノイズを除去して映像の乱れを防止することが可能なテレビジョン受像機の提供を目的とする。
【課題を解決するための手段】
【０００７】
上記課題を解決するために、本発明では、ＤＲＡＭをメインメモリーとして備えるテレビジョン受像機において、所望のチャンネルに対応する信号を抽出するチューナー部と、前記チューナー部が抽出した信号を増幅する増幅部と、前記増幅部における増幅率を制御するためのＡＧＣ信号を生成する利得制御部と、前記ＡＧＣ信号のノイズを除去するバッファー部と、前記増幅率が制御された信号を用いて映像を表示する表示処理部と、を有する構成としてある。
【０００８】
上記のように構成された発明では、ＤＲＡＭをメインメモリーとして備えるテレビジョン受像機において、チューナー部は、所望のチャンネルに対応する信号を抽出し、増幅部は、チューナー部が抽出した信号を増幅し、利得制御部は、増幅部における増幅率を制御するためのＡＧＣ信号を生成し、バッファー部は、ＡＧＣ信号のノイズを除去し、表示処理部は、増幅率が制御された信号を用いて映像を表示する。
そのため、ＤＲＡＭのセルフリフレッシュに起因するノイズの影響を低減させて、映像の乱れを防止することができる。
【０００９】
また、前記バッファー部は、バッファーＩＣにより構成されてもよい。
【００１０】
そして、前記利得制御部は、増幅された信号の増幅率を検出し、前記検出結果に基づいて、ＰＷＭ信号を出力するＡＧＣ回路と、前記ＡＧＣ回路が生成したＰＷＭ信号を直流化するローパスフィルターにより構成され、前記バッファー部は、前記ＡＧＣ回路と前記ローパスフィルターの間に介在する構成としてもよい。
上記のように構成された発明では、ＰＷＭ信号に重畳するノイズを除去することができる。
【００１１】
更に、本発明の他の局面として、ＤＲＡＭをメインメモリーとして備えるテレビジョン受像機において、所望のチャンネルに対応する信号を抽出するチューナー部と、前記チューナー部が抽出した信号を増幅する増幅部と、増幅された信号の増幅率を検出し、前記検出結果に基づいて、ＰＷＭ信号を出力するＡＧＣ回路と、バッファーＩＣにより構成され、前記ＰＷＭ信号のノイズを除去するバッファー部と、前記バッファーＩＣから出力されるＰＷＭ信号を直流化するローパスフィルターと、前記増幅率が制御された信号を用いて映像を表示する表示処理部と、を有する構成としてある。
【発明の効果】
【００１２】
以上説明したように本発明によれば、ＤＲＡＭを備えるテレビジョン受像機において、ＡＧＣ信号に重畳するノイズを除去して映像の乱れを防止することができる。
【図面の簡単な説明】
【００１３】
【図１】本実施形態に係るテレビジョン受像機１００のブロック構成図である。
【図２】ノイズが重畳したＰＷＭ信号を示す波形図である。
【図３】バッファーＩＣ６０によりノイズが除去されたＰＷＭ信号を示す波形図である。
【図４】ＰＷＭ信号を元に生成した第２ＡＧＣ信号を説明する図である。
【発明を実施するための最良の形態】
【００１４】
以下、図を参照しつつ下記の順序に従って本発明の実施形態を説明する。
１．第１の実施形態：
２．その他の実施形態：
【００１５】
１．第１の実施形態：
図１は、本実施形態に係るテレビジョン受像機１００のブロック構成図である。テレビジョン受像機１００は、アンテナ（図示しない）が受信したテレビジョン放送信号を用いて、映像を表示するものである。また、本実施形態に係るテレビジョン受像機１００は以下の要部を備えて構成される。チューナー部８０は、アンテナが受信したテレビジョン放送信号から所望の周波数帯を抽出し、増幅部８１で増幅して出力する。信号処理ＩＣ７０は、チューナー部８０が出力した信号をＩＦ部７１で受け入れ、デモジュレーター７２により復調し、プロセッサー７４により所定の信号処理を施した後、映像データーとして出力する。また、プロセッサー７４は、ＤＲＡＭ９１に展開されたパラメーターを参照しつつ上記信号処理を施す。パネル９０は、信号処理ＩＣ７０から出力された信号を元に各画素を駆動して映像を表示する。さらに、電源回路９３は、テレビジョン受像機１００を構成する各部に電力を供給する。
【００１６】
また、本実施形態に係るテレビジョン受像機１００は、チューナー部８０で増幅される信号の増幅率を自動で調整するため、ＩＦ７１を介して入力された信号を元にＡＧＣ制御を行う。このＡＧＣ制御では、増幅部８１の増幅率が所定の値になるよう制御が行われる。
【００１７】
上記したように、テレビジョン受像機１００では、プロセッサー７４はＤＲＡＭ９１に記憶されたパラメーターを参照して、信号処理を行なっている。ここで、ＤＲＡＭ９１は、記憶を維持するために所定周期でセルフリフレッシュを実行する必要がある。そのため、このセルフリフレッシュ期間にＤＲＡＭからノイズが輻射し、電源回路９３から供給される電源電圧にノイズが重畳する場合がある。また、ノイズが重畳した電源電圧は、上記したＡＧＣ制御に影響を及ぼす場合がある。そのため、本実施形態では、ＡＧＣ制御を行う各部を以下の構成とすることでＤＲＡＭ９１のセルフリフレッシュに起因するノイズの影響を低減させる構成としてある。
【００１８】
以下に、ＡＧＣ制御を行う各部を説明する。ＡＧＣ回路７３は、ＩＦ７１を介して入力された信号の増幅率を検出し、この増幅率に応じたＰＷＭ信号（第１ＡＧＣ信号）を生成して、出力する。
【００１９】
また、バッファーＩＣ（バッファー部）６０は、ＡＧＣ回路７３から出力されたＰＷＭ信号からノイズを除去する。バッファーＩＣ６０は、ノイズが重畳していない安定化された電源により駆動し、ＰＷＭ信号に重畳したノイズを除去する。
【００２０】
図２は、ノイズが重畳したＰＷＭ信号を示す波形図である。また、図３は、バッファーＩＣ６０によりノイズが除去されたＰＷＭ信号を示す波形図である。図２に示すように、ＰＷＭ信号にノイズが重畳した場合、信号の上部に高周波成分が発生している。一方、バッファーＩＣ６０によりノイズが除去された信号の上部には、高周波成分が発生していない。
【００２１】
ローパスフィルター５０は、ＰＷＭ信号を直流化して第２ＡＧＣ信号を生成し、増幅部８１に出力する。ローパスフィルター５０は、抵抗とコンデンサーを組み合わせて構成され、バッファーＩＣ６０から出力されるＰＷＭ信号を直流化する。そのため、本発明に係る利得制御部は、ＡＧＣ回路７３とローパスフィルター５０により実現される。
【００２２】
図４は、ＰＷＭ信号を元に生成した第２ＡＧＣ信号を説明する図である。ここで、図４（Ａ）は、図２に示すＰＷＭ信号を直流化して生成した第２ＡＧＣ信号である。また、図４（Ｂ）は、図３に示すＰＷＭ信号を直流化して生成した第２ＡＧＣ信号である。図２に示すように、ノイズが重畳したＰＷＭ信号を直流化した場合、第２ＡＧＣ信号は交流成分を伴った波形となる。一方、図３に示すように、ノイズが除去されたＰＷＭ信号を直流化した場合、第２ＡＧＣ信号は交流成分を伴わず安定化している。
【００２３】
増幅部８１はローパスフィルター５０により生成された第２ＡＧＣ信号により信号の増幅率を変更し信号処理ＩＣ７０に信号を出力する。このとき、増幅部８１に入力される第２ＡＧＣ信号はノイズが重畳していないため、増幅部８１はノイズの影響を受けない。そのため、後段で生成される映像データーに対してもノイズが重畳せず、映像の乱れを低減させる。以上、第１の実施形態を説明した。
【００２４】
２．その他の実施形態：
ＡＧＣ回路７３が信号処理ＩＣ７０内に実装されることは一例であり、ＡＧＣ回路７３単体で構成されていてもよい。また、増幅部８１がチューナー部８０内部に実装されることは一例であり、増幅部８１が単体で構成されていてもよい。
【００２５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００２６】
５０…ローパスフィルター、６０…バッファーＩＣ、７１…ＩＦ部、７２…デモジュレーター、７３…ＡＧＣ回路、７４…プロセッサー、８０…チューナー部、８１…増幅部、９０…パネル、９３…電源回路、１００…テレビジョン受像機、７０…信号処理ＩＣ
【図１】
2010268117.tif 000003
【図２】
2010268117.tif 000004
【図３】
2010268117.tif 000005
【図４】
2010268117.tif 000006